(57)【要約】【課題】ホーンの音道をスピーカーの周囲に形成するスピーカーボックス及びスピーカー装置において、スピーカーに対する音圧を低減するとともに、設計、製造を簡易にすることを課題とする。【解決手段】スピーカーボックスの内壁を、フィボナッチ数列に従って辺の比が大きくなる正方形群を渦状に接触しながら配置した平面形状から、大きさが最も近い隣接する各正方形同士の間に形成される線分を削除した渦状の平面形状に沿って形成し、最小の正方形部分に、スピーカー面が平行に取り付けられるようにスピーカー取付口を形成するとともに、最大の正方形部分の一辺に揃う辺に前記平面形状に対してほぼ垂直に開口を形成する。【選択図】  図５
0003138044.tif 000002
【実用新案登録請求の範囲】
【請求項１】
第１の正方形の辺と同じ長さ辺を持つ第２の正方形は、第１の正方形に辺が揃うように隣接し、第２の正方形の２倍の長さの辺を持つ第３の正方形は、第１の正方形と第２の正方形のいずれにも辺が揃うように接触し、Nを４からR（Rは４以上）の自然数としたときに、任意のNにおいて、第N−１の正方形の辺の長さと第N−２の正方形の長さを足した長さの辺を持つ第Nの正方形は、第Ｎ−１の正方形の第N−２の正方形に隣接している辺に対向する辺に揃い、かつ、第N−２の正方形に隣接しないように第Ｎ−１の正方形に接触することを満たす平面形状から、大きさが最も近い隣接する各正方形同士の間に形成される線分を削除した渦状の平面形状に沿って内壁が形成され、前記第１の正方形部分に、スピーカー面が平行に取り付けられるようにスピーカー取付口が形成されるとともに、第Rの正方形の第Ｒ−３の正方形の一辺に揃う辺に前記平面形状に対してほぼ垂直に開口が形成されるスピーカーボックス。
【請求項２】
請求項２に記載の発明は、第１の正方形の辺の（√５＋１）／２倍の辺を持つ第２の正方形は、第１の正方形に辺が揃うように隣接し、Nを３からR（Rは３以上）の自然数としたときに、任意のNにおいて、第N−１の正方形の辺の（√５＋１）／２倍の辺を持つ第Nの正方形は、第Ｎ−１の正方形の第N−２の正方形に隣接している辺に対向する辺に揃い、かつ、第N−２の正方形に隣接しないように第Ｎ−１の正方形に接触することを満たす平面形状から、大きさが最も近い隣接する各正方形同士の間に形成される線分を削除した渦状の平面形状に沿って内壁が形成され、前記第１の正方形部分にスピーカー面がほぼ平行に取り付けられるようにスピーカー取付口が形成されるとともに、第Rの正方形の第R−１の正方形の一辺が揃う辺に前記平面形状に対してほぼ垂直に開口が形成されるスピーカーボックス。
【請求項３】
前記内壁の内側の角部分の少なくとも１つに反射板が設けられた請求項１又は２に記載のスピーカーボックス。
【請求項４】
前記反射板は、すべての内壁の角部分ごとに設けられるとともに、角部に向う凹面をもつ曲面状に形成される請求項３に記載のスピーカーボックス。
【請求項５】
前記渦状の平面形状に沿って設けられる前記内壁の少なくとも一部が、当該渦状の平面形状に内接する渦巻き状の平面曲線に沿って形成される内壁の一部に置き換えられた請求項１から３のいずれか１項に記載のスピーカーボックス。
【請求項６】
前記任意のNに対して、第Nの正方形部分に対応する奥行きが第N−１の正方形部分に対応する奥行き以上になるように形成される請求項１から５のいずれか１項に記載のスピーカーボックス。
【請求項７】
請求項１から６のいずれか１項に記載のスピーカーボックスの前記スピーカー取付口にスピーカーを背面が内部に向うように取り付けたスピーカー装置。
【請求項８】
請求項１から６のいずれか１項に記載のスピーカーボックスの前記スピーカー取付口にスピーカーを前面が内部に向うように取り付けたスピーカー装置。
【考案の詳細な説明】
【技術分野】
【０００１】
本考案はスピーカーボックス及びスピーカー装置に関し、特に、内部にホーン機能が形成されるスピーカーボックスとこれを用いたスピーカー装置に関する。
【背景技術】
【０００２】
従来、スピーカーボックスの一種類として特許文献１に記載されるような、ボックス内にホーンを形成し、低音をより響かせるいわゆるバックロードホーン型のスピーカーボックスがある。このようなスピーカーボックスの厚さは、一般的に取り付けるスピーカーの外径により規定される。これに対して、長岡鉄男氏が図１５に示すような内部構造を有するバックロードホーン型のスピーカーを発表している。このスピーカーは、音道ｌがスピーカー取付口O位置の周囲に形成されるので、スピーカーボックスの厚さが、取り付けるスピーカーの厚さにより規定されるので薄いスピーカーシステムを形成することが可能である。
【特許文献１】特開２００３−２０４５８６号公報
【考案の開示】
【考案が解決しようとする課題】
【０００３】
しかし、上記図１５に示す構造を有するスピーカーボックスでは、スピーカー直後の音道ｌが狭くなる、いわゆるスロート部分を有することとなる。図１６に、図１５に示すスピーカーボックスを模式的に直線的に展開した図を示す。図に示すように、図１５のスーカーボックスではスピーカーを囲む壁面から音道を構成するホーンに至る最初の音道は、スピーカーの外径よりも狭い音道を通り、さらに、その後もスピーカーの外径よりも狭い音道が続いている。これにより、図１５に示すスピーカーボックスは、スピーカーに対する音圧が高くなるという問題がある。
また、図１５に示すスピーカーは音道ｌの幅を対数関数により増大させるものであり、設計や製造が困難であるという問題もある。
本考案は、このような問題に鑑みて、ホーンの音道をスピーカーの周囲に形成するスピーカーボックス及びスピーカー装置において、スピーカーに対する音圧を低減するとともに、設計、製造を簡易にすることを課題とする。
【課題を解決するための手段】
【０００４】
上記課題を解決するために、本考案は次のような構成を有する。
請求項１に記載の考案は、第１の正方形の辺と同じ長さ辺を持つ第２の正方形は、第１の正方形に辺が揃うように隣接し、第２の正方形の２倍の長さの辺を持つ第３の正方形は、第１の正方形と第２の正方形のいずれにも辺が揃うように接触し、Nを４からR（Rは４以上）の自然数としたときに、任意のNにおいて、第N−１の正方形の辺の長さと第N−２の正方形の長さを足した長さの辺を持つ第Nの正方形は、第Ｎ−１の正方形の第N−２の正方形に隣接している辺に対向する辺に揃い、かつ、第N−２の正方形に隣接しないように第Ｎ−１の正方形に接触することを満たす平面形状から、大きさが最も近い隣接する各正方形同士の間に形成される線分を削除した渦状の平面形状に沿って内壁が形成され、前記第１の正方形部分に、スピーカー面が平行に取り付けられるようにスピーカー取付口が形成されるとともに、第Rの正方形の第Ｒ−３の正方形の一辺に揃う辺に前記平面形状に対してほぼ垂直に開口が形成されるスピーカーボックスである。なお、本願における内壁は、スピーカーボックスの外形を構成する内壁の他、内部の仕切り板により形成される内壁が含まれる。なお、辺が揃うように隣接するとは、辺同士が同一直線状に存するように互いの辺同士が接触することを意味する。
【０００５】
請求項２に記載の考案は、第１の正方形の辺の（√５＋１）／２倍の辺を持つ第２の正方形は、第１の正方形に辺が揃うように隣接し、Nを３からR（Rは３以上）の自然数としたときに、任意のNにおいて、第N−１の正方形の辺の（√５＋１）／２倍の辺を持つ第Nの正方形は、第Ｎ−１の正方形の第N−２の正方形に隣接している辺に対向する辺に揃い、かつ、第N−２の正方形に隣接しないように第Ｎ−１の正方形に接触することを満たす平面形状から、大きさが最も近い隣接する各正方形同士の間に形成される線分を削除した渦状の平面形状に沿って内壁が形成され、前記第１の正方形部分にスピーカー面がほぼ平行に取り付けられるようにスピーカー取付口が形成されるとともに、第Rの正方形の第R−１の正方形の一辺が揃う辺に前記平面形状に対してほぼ垂直に開口が形成されるスピーカーボックスである。
【０００６】
請求項３に記載の考案は、前記スピーカーボックスにおいて、前記内壁の内側の角部分の少なくとも１つに反射板が設けられたものである。なお、内壁の内側の角部分は内壁が９０度の角度を形成する部分である。
請求項４に記載の考案は、請求項３に記載のスピーカーボックスにおいて、前記反射板は、すべての内壁の角部分ごとに設けられるとともに、角部に向う凹面をもつ曲面に形成されるものである。
請求項５に記載の考案は、請求項１から３に記載のスピーカーボックスにおいて、前記渦状の平面形状に沿って設けられる内壁の少なくとも一部が、当該平面形状に内接する渦巻き状の平面曲線に沿って形成される内壁の一部に置き換えられた請求項１から３のいずれか１項に記載のスピーカーボックス。なお、当該平面形状に内接する渦巻き状の平面曲線とは、順次大きくなる各正方形同士の境目となる点に接触するように曲線を滑らかに繋いで形成される形状をいう。
請求項６に記載の考案は、前記スピーカーボックスにおいて、前記任意のNに対して、第Nの正方形部分の奥行きが第N−１の正方形部分の正方形部分の奥行き以上となるように形成されるものである。
【０００７】
請求項７に記載の考案は、前記スピーカーボックスの前記スピーカー取付口にスピーカーを背面が内部に向うように取り付けたスピーカー装置である。
請求項８に記載の考案は、前記スピーカーボックスの前記スピーカー取付口にスピーカーを前面が内部に向うように取り付けたスピーカー装置である。
【考案の効果】
【０００８】
請求項１に記載の考案は、スピーカーの内壁が沿う平面形状は、辺の長さがフィボナッチ数列（1，1，2，３，５，８，１３，２１・・・・）の順に各正方形を順次渦を巻くように組み合わせたもので、必ず、外周が長方形になる。この長方形は、大きくなるにつれて黄金比をもつ長方形状に近づく。この形状内の互いに隣接する正方形の仕切りを取り去ってできる形状に沿って設けられた内壁により形成される音道は最初の正方形から順次大きくなっていくので、スロートがなく、スピーカーに対する音圧を低くすることができる。
具体的には、本スピーカーボックスを模式的に直線的に展開すると図１のようになる。スピーカー取付口を囲む壁面から音道を構成するホーンに至る音道は、最初からスピーカーの外径よりも必ず大きくなりので、スピーカー背面の音道はスピーカーの外径よりも大きくなり、これによってスピーカー背面の音圧が低減されることとなる。
【０００９】
また、設計に際しても、正方形を組み合わせるので簡易であり、製造においても、例えば、フィボナッチ数列に従って辺が大きくなる正方形を平面形状とする適宜側面を開放した箱体を組み合わせるだけで形成できる。また、長方形内を平面形状とする箱体内に仕切りを形成するに際しても、上記渦状の平面形状は比較的簡易に描くことができ、この渦状の平面形状に沿って仕切りを設ければよいので、比較的簡易に製造することができる。
渦状の平面形状が比較的簡易に描けることを、以下に具体的に説明する。図２（ａ）〜（ｊ）に平面形状を描く過程を示す。最初に長辺と短辺の比がフィボナッチ数列になるよう形成された長方形状の板を用意する。まず、図２（ａ）に示すように長辺上に一端から短辺と同じ長さとなる点A1に印をつける。この作業には、紐と鉛筆などの筆記用具があれば足りる。そして、点Ａ1から図２（ｂ）に示すように直角に線分L1を引く。これは直角定規や差し金があれば足りる。次に、Ｌ１を長辺とする長方形が現れますので、図２（ｃ）に示すようにＬ１の対辺上に一端からこの長方形の短辺と同じ長さとなる点A2に印をつける。そして、点A2から図２（ｄ）に示すように直角に線分L2を引く。以下、同様の手順により、図２（ｅ）〜図２（ｊ）に示すように順次A3、A4、A5と印をつけ、線分L3、L4、L5と、最後に同じ大きさの正方形が並ぶようになるまで線分を引いて行く。以上で、仕切り板を配列する線分を描くことができる。即ち、最初の長方形状さえ描ければあとは、定規によって測定する作業を一切する必要がなく、特に一品製作で製造する場合に、製造作業を容易にして作業の効率化を図ることができる。
【００１０】
また、フィボナッチ数列に従って辺が大きくなる正方形を平面形状とする適宜側面を開放した箱体を組み合わせるだけで形成する場合についても具体的に以下に説明する。図３（ａ）〜（ｆ）にこの場合の製造工程を順に示す。まず、1番目の箱体の正方形の背面板S1を用意する。予定するスピーカーが内部に収まる大きさであれば、正確な大きさの正方形である必要はない。次に、図３（ａ）に示すように２番目の箱体の正方形の背面板S2を用意する。これは、S1の一辺の長さを紐などにより写すことで簡単に得ることができる。それから図３（ｂ）に示すように、S1とS2を連結して得られる長方形の長辺を一辺とする３番目の箱体の正方形の背面板S3を用意する。これも辺の長さを紐などで写すことで簡単に得ることができる。さらに、図３（ｃ）に示すようにS1、S2を組み合わせた長方形をS3を連結して得られる長方形の長辺を一変とする４番目の箱体の正方形の背面板S4を用意する。以下、同様の手順で図３（ｄ）〜図３（ｅ）のような流れで背面板を用意していく。ここまでの手順で、やはり、定規により測定する作業や計算をする作業は必要ない。背面板が得られたら、これをもとに形を写して材料取りをすることでバッフル板を得ることは容易である。１番目の箱体のバッフル板にのみスピーカー取付穴を設けておく。そして、1番目の箱体のみ一側面以外に側板を設け、残りの箱体は隣接する２側面以外に側板を設ける。側板は幅は、背面板から紐などで写し取ればよく、高さは同じ高さにする場合、その高さを紐などで写していけばよいので、やはり側板も容易に得ることができる。最後に各箱体同士を連結すれば本願考案に係るスピーカーのスピーカーボックスが得られる。このように、箱体を組み合わせて形成する場合でも計算や定規で長さを測るといった作業は全く不要であり、やはり設計、製造は極めて容易に行うことができる。
【００１１】
請求項２に記載の考案は、スピーカーの内壁が沿う平面形状に関し、辺の長さが（√５＋１）／２倍ずつ大きくなる正方形を順次渦を巻くように組み合わせることで、必ず、外周が黄金比を持つ長方形になる。この形状内の互いに隣接する正方形の仕切りを取り去ってできる形状に沿って設けられた内壁により形成される音道はやはり最初の正方形から順次大きくなっていくので、やはり図１に示すような形状に展開でき、スロートがなく、スピーカーに対する音圧を低くすることができる。
また、設計に際しても、正方形を組み合わせるので簡易であり、製造においても、例えば、（√５＋１）／２倍ずつ大きくなる正方形を平面形状とする側面を適宜開放した箱体を組み合わせるだけで形成できる。また、黄金比を有する長方形内を平面形状とする箱体内に仕切りを形成するに際しても、上記渦状の平面形状は比較的簡易に描くことができ、この渦状の平面形状に沿って仕切りを設ければよいので、比較的簡易に製造することができる。
請求項２に記載の考案では、渦状の平面形状の描き方は、請求項１で説明したものと、最初に用意する長方形の板体が長辺と短辺の比が黄金比である点のみが相異し、あとの作業は同様にできるので、やはり、計算や長さを図る作業をほとんど要さず、また、正方形を平面形状とする適宜側面を開放した箱体を組み合わせるだけで形成する場合も、もっとも小さな部分が平面視短辺と長辺で黄金比を有する長方形により背面板、バッフル板が形成される点を除き、順次、平面視正方形状の背面板、バッフル板を有するは箱体を組み合わせることは、請求項１の考案と同様の方法により計算や測定を要することがないので、やはり、設計、製造を容易に行うことができる。
【００１２】
請求項３に記載の考案は、前記２つの内壁の内側の角部分の少なくとも１つに反射板が設けられることで、角部分の音圧が低減され、より滑らかに音を開口に至らせることができる。
請求項４に記載の考案は、前記反射板が、全ての内側の角部分ごとに設けられるとともに、角部に向う凹面をもつ曲面に形成されるので、音道の外方側が滑らかな渦曲線を描き、さらに、音を滑らかに開口に至らせることができる。
請求項５に記載の考案は、内壁自体を曲面により形成することで、やはり音道を滑らかにして、音を滑らかに外部に伝えることができる。
請求項６に記載の考案は、前記任意のNに対して、第Nの正方形部分の奥行きが第N−１の正方形部分の正方形部分の奥行き以上になるように形成され、奥行き側の幅も開口に近づくにつれて順次大きくなるように形成することができる。
請求項７に記載の考案は、前記スピーカーボックスの前記スピーカー取付口にスピーカーを背面が内部に向うように取り付けたスピーカー装置であり、やはり、スピーカー背面に対する音圧が小さく、かつ、設計、製造を容易にすることができる。
請求項８に記載の考案は、前記スピーカーボックスの前記スピーカー取付口にスピーカーを前面が内部に向うように取り付けたスピーカー装置であり、スピーカー前面に対する音圧を小さく、かつ、設計、製造を容易にすることができる。
【考案を実施するための最良の形態】
【００１３】
以下、本考案の実施の形態について、図面を参照しながら説明する。
（実施形態１）
図４に実施形態１に係るスピーカーボックスＡを含むスピーカー装置Ｘの斜視図を示す。スピーカー装置ＸはスピーカーボックスＡと配線を含むフルレンジのスピーカーＳから構成される。スピーカーボックスＡは、前面に形成されるバッフル板１１、背面に形成される背面板１２、側面、上底面を囲む、側板１３、１４、１５、１６、内部に形成される仕切り板１７とから構成される。側板の奥行き方向の長さはスピーカーユニットの口径の1/2倍から2倍の間の値に設定される。図５（ａ）にスピーカーボックスＡの横断面図を示す。スピーカーボックスＡの内壁は、側板１３、１４、１５、１６、及び仕切り板１７により構成されるが、これらは所定の大きさの正方形を所定の規則で並べた形状を基準に形成されている。
【００１４】
図５（ｂ）に内壁の基準となる６つの正方形を示す。第１正方形Ｑ１、第２正方形Ｑ２は合同の正方形であり、一辺同士が完全に重なるように接触して配置される。これにより第１正方形Ｑ１と第２正方形Ｑ２の接触した辺に対して隣接する辺同士が揃うこととなる。第３正方形Ｑ３は、第１正方形Ｑ１の辺と第２正方形Ｑ２の辺の長さを足した長さを一辺とする正方形であり、第１の正方形Ｑ１及び第２の正方形Ｑ２のそれぞれに均等に接触する。これにより、第３正方形Ｑ３の対向する二辺が第１正方形Ｑ１の一辺及び第２正方形Ｑ２の一辺とそれぞれ揃う事となる。第４正方形Ｑ４は第２正方形Ｑ２の一辺と第３正方形Ｑ３の一辺を足した長さを有する辺を持つ正方形であり、第３正方形Ｑ３の第１正方形Ｑ１及び第２正方形Ｑ２に接触する辺に対抗する辺に揃い、かつ、第２正方形Ｑ２に接触しない側で第３正方形Ｑ３に隣接する。第５正方形Ｑ５は第３正方形Ｑ３の一辺と第４正方形Ｑ４の一辺を足した長さを有する辺を持つ正方形であり、第４正方形Ｑ４の第３正方形Ｑ３に接触する辺に対抗する辺に揃い、かつ、第３正方形Ｑ３に接触しない側で第４正方形Ｑ４に隣接する。第６の正方形Ｑ６は第４正方形Ｑ４の一辺と第５正方形Ｑ５の一辺を足した長さを有する辺を持つ正方形であり、第５正方形Ｑ５の第４正方形Ｑ４に接触する辺に対抗する辺に揃い、かつ、第４正方形Ｑ４に接触しない側で第５正方形Ｑ５に隣接する。
【００１５】
つまり、第１正方形Ｑ１から第６正方形Ｑ６は、辺の長さが、１，１，２，３，５，８と、3項目以降は、前２項の値を足した値となるいわゆるフィボナッチ数列を構成するものであり、第１の正方形Ｑ１から第６の正方形Ｑ６は、内側から外側に向う渦状に配置される。
そして、この形状から、大きさが最も近い隣接する各正方形同士の間に形成される線分（図において丸印で示される）を削除した渦状の図形に沿って側板１３から１６及び仕切り板１７により内壁が形成されている。
スピーカーボックスＡのバッフル板１１の第１正方形Ｑ１部分に対向する面には、スピーカーを取り付けるスピーカー取付口１１ａが設けられ、ここにスピーカーＳが背面側がスピーカーボックス内を向くように取り付けられる。また、第６正方形Ｑ６の第３正方形に揃う辺には、内壁が設けられないことにより開口１４ａが形成される。
このような構成により、音道が順次大きくなる正方形を含む渦状に形成されたバックロードホーン型のスピーカー装置Ｘが形成される。このスピーカー装置Ｘは、順次大きくなう正方形を渦状の配列したものを基本に音道が形成されるので、スロートがなく、スピーカー背面側の音圧も小さなものとなる。また、音道を形成する第１正方形Q１〜第６正方形Q６は、背面板１２上に容易に描くことができ、ここに側板１３から１６と仕切り板１７を配すればよいので、製造も比較的簡単に行うことができる。
【００１６】
なお、上記スピーカーボックスは、正面視正方形状の箱体を組み合わせることにより形成することもできる。図６にこのような正面視正方形状の箱体を組み合わせて形成されるスピーカーボックスＡ２の分解斜視図を示し、図７にスピーカーボックスＡ２の斜視図を示す。スピーカーボックスＡ２は、上述した、第１正方形Ｑ１〜第６正方形Ｑ６のそれぞれをバッフル板及び背面板とする第１箱体２１、第２箱体２２、第３箱体２３、第４箱体２４、第５箱体２５、第６箱体２６から形成される。第１箱体２１のバッフル板にはスピーカー取り付け穴２１ａが設けられるとともに、１側面が開放されている。残りの第２箱体２２〜第６箱体２６は、隣接する２側面が開放されている。そして、第１箱体２１の周りを巻くように、第１箱体２１から第６箱体２６を互いに開放面同士を連結させながら、組み合わせることで、図７に示すように、スピーカーボックスＡ２を得ることができる。スピーカーボックスＡ２の製造も、正面視正方形状の箱体を適宜組み合わせて得ることができるので、比較的容易である。
【００１７】
また、上記のスピーカーボックス内に形成される音道の内側の角部分には、反射板を設けるようにすることもできる。図８(ａ)に内側の角部分に平らな板状の反射板１８を設けた図を示し、図８（ｂ）に、内側の角部分に角部に向かう凹面を持つ曲面を有する反射板１９を設けた図を示す。このように反射板１８、反射板１９を設けることで、より滑らかな音道が得られる。この音道は対数螺旋曲線に近似する。なお、図８（ｂ）のように、反射板１８が、内壁をほぼ塞いでしまうような場合には、図９に示すように、反射板１９Ｘのみを内壁として構成することも可能である。
【００１８】
さらに、本実施形態においては、バッフル板１１と背面板１２とは平面状の板体により形成されているが、奥行きを変更してもよい。図１０に、バッフル板１１を下にしたスピーカーボックスＡ３の斜視図を示す。このスピーカーボックスはＡ３は、第５正方形Ｑ５、及び第６正方形Ｑ６部分の奥行きＬ１、Ｌ２を大きくしたものである。このようにすることで、開口１４ａａの縦横比を１：１に近づけることができる。なお、奥行きを広げた部分は、元の状態と容積を変化させないようにバッフル板１１及び背面板１２の面積を小さくするようにしてもよい。
そして、本実施形態においては、内壁の元となる渦状の図形を描く６つの正方形により形成しているが、正方形の数は適宜選択することができ、正方形の数を増やしてもやはり、設計、製造は比較的容易に行うことができる。
【００１９】
（実施形態２）
図１１（ａ）に実施形態２に係るスピーカーボックスＢを含むスピーカー装置Ｙの横断面図を示す。スピーカーボックスＢは、実施形態１に係るスピーカーボックスＡとほぼ同じ構成であり、前面に形成される図示しないバッフル板、背面に形成される背面板３２、側面、上底面を囲む、側板３３、３４、３５、３６、内部に形成される仕切り板３７とから構成される。側板の奥行き方向の長さはやはりスピーカーユニットの口径の1/2倍から2倍の間の値に設定される。スピーカーボックスＢがスピーカーボックスＡと相違するのは、内壁の元となる渦状の図形は、辺の長さが（√５＋１）／２倍ずつ大きくなる正方形を渦状に配列した図形が元となる点である。
【００２０】
図１１（ｂ）に内壁の基準となる５つの正方形を示す。まず、全体を構成する長方形Ｋは長辺と短辺の比が（√５＋１）／２：１のいわゆる黄金比であり、第５正方形Ｐ５は、長方形Ｋの短辺を含む正方形であり、長方形Ｋから第５正方形Ｐ５を除いた部分も黄金比を持つ長方形の性質から再び黄金比を持つ長方形となる。以下、第４正方形Ｐ４、第３正方形Ｐ３、第２正方形Ｐ２、第１正方形Ｐ１は、渦を描くように順次黄金比を持つ長方形から正方形部分を切り出した図形である。第１正方形Ｐ１を切り出した後に、さらに黄金比を持つ長方形が残るが、ここでは、これは利用しない。第１正方形Ｐ１から見ると、第２正方形Ｐ２は第１正方形Ｐ１の辺の（√５＋１）／２倍の辺を持ち、第１正方形Ｐ１に辺が揃うように隣接する。第３正方形Ｐ３は、第２正方形Ｐ２の辺の（√５＋１）／２倍の辺を持ち、第２正方形Ｐ２の第１正方形Ｐ１に隣接している辺に対向する辺に揃い、かつ、第１正方形Ｐ１に隣接しないように第２正方形Ｐ２に接触する。第４正方形Ｐ４は、第３正方形Ｐ３の辺の（√５＋１）／２倍の辺を持ち、第３正方形Ｐ３の第２正方形Ｐ２に隣接している辺に対向する辺に揃い、かつ、第２正方形Ｐ２に隣接しないように第３正方形Ｐ３に接触する。第５正方形Ｐ５は、第４正方形Ｐ４の辺の（√５＋１）／２倍の辺を持ち、第４正方形Ｐ４の第３正方形Ｐ３に隣接している辺に対向する辺に揃い、かつ、第３正方形Ｐ３に隣接しないように第４正方形Ｐ４に接触する。
【００２１】
このように形成される平面形状から、大きさが最も近い隣接する各正方形同士の間に形成される線分（図において丸印で示される）を削除した渦状の図形に沿って内壁が形成されている。なお、第１正方形Ｐ１に隣接する黄金比をもつ長方形部分は仕切り板３７を厚くした部分３７ａで覆うようにしているが、長方形部分に沿って仕切り板３７を囲むように設けてもよい。また、スピーカーボックスＢの図示しないバッフル板の第１正方形Ｐ１部分に対向する面には、スピーカーを取り付けるスピーカー取付口が設けられ、ここにスピーカーが背面側がスピーカーボックス内を向くように取り付けられる。また、第５正方形Ｐ５の第２正方形に揃う辺には、内壁が設けられないことにより開口３４ａが形成される。
このような構成を持つスピーカーボックスＢを含むスピーカー装置Ｙも、音道が順次大きくなる正方形を含む渦状に形成されたバックロードホーンには、スロートがなく、スピーカー背面側の音圧も小さなものとなる。また、音道を形成する第１正方形Ｐ１〜第５正方形Ｐ５は、背面板２上に容易に描くことができ、ここに仕切り板１７を配すればよいので、製造も比較的簡単に行うことができる。
【００２２】
また、実施形態２に係るスピーカーボックスＢも、実施形態１に係るスピーカーボックスＡと同様に、正面視正方形状の箱体を組み合わせることにより容易に形成することができる。また、音道の内側の角部分には適切な反射板を設けることができ、反射板のみを内壁として構成することもできる。さらに、スピーカーボックスＢの奥行きも適宜変更することができる。さらに、本実施形態２においても、内壁の元となる渦状の図形を描く正方形の数は適宜選択することができ、正方形の数を増やしてもやはり、設計、製造は比較的容易に行うことができる。
【００２３】
（応用例）
上記のような構成を有するスピーカー装置は薄型にできることから、種々の応用が可能である。例えば、本に近い形状としたスピーカー装置Ｚは、図１２（ａ）に示すように、本棚Ｂｓに収納し、使用時にスピーカーが表出するように引き出して使用したり、図１２（ｂ１）、（ｂ２）に示すように、使用時に本棚の前面に載置するようにして使用することができる。また、図１３（ａ）に示すように、映画館やホームシアターの音響用スピーカー装置Ｖとして使用すれば、スピーカーが突出しないので、圧迫感を低減することができる。さらに、図１３（ｂ）に示すように、自動車のドア内部の内蔵スピーカーＷや、図１３（ｃ）に示すように携帯電話などの小型機器の内蔵スピーカーＵすることで、薄型でありながら従来よりも低音を響かせることが可能となる。
【００２４】
また、上記実施形態では、バックロードホーンスピーカー装置を構成しているが、図１４に示すように、スピーカーボックスＣのスピーカー取付口にスピーカーＳａ１の前面を取り付けてスピーカーボックスＣをフロントホーンとして使用することも可能である。なお、図１４では、スピーカーボックスＣに取り付けるスピーカーＳａ１を比較的小型の６０００Ｈｚ程度をカバーできるウーハーとし、これに、高音帯域用スピーカーＳａ２としてツィーターを上部に載置した２ウエイ型のスピーカー装置として構成している。
さらに、上記スピーカーボックスにおいて、開口部を塞ぐとともに、最も大きな正方形部分のバッフル板にスピーカー取付口を設けてスピーカーを取り付け、本来のスピーカー取付口を開放口とすることで、逆バックロードホーンスピーカーを形成することも可能である。
【図面の簡単な説明】
【００２５】
【図１】請求項１に係るスピーカーボックスを模式的に直線的に展開した状態を示す図である。
【図２】（ａ）〜（ｊ）は請求項１に係るスピーカーボックスを作成するための平面形状を描く過程を示す図である。
【図３】（ａ）〜（ｆ）は請求項１に係るスピーカーボックスを作成するために正方形を平面形状とする適宜側面を開放した箱体を組み合わせる工程を示す図である。
【図４】実施形態１に係るスピーカーボックスを含むスピーカー装置の斜視図である。
【図５】（ａ）は実施形態１に係るスピーカーボックスの横断面図であり、（ｂ）は実施形態１に係るスピーカーボックスの内壁の基準となる正方形群を示す図である。
【図６】実施形態１に係る正面視正方形の箱体を組み合わせたスピーカーボックスの分解斜視図である。
【図７】実施形態１に係る正面視正方形の箱体を組み合わせたスピーカーボックスの斜視図である。
【図８】（ａ）（ｂ）は実施形態１に係る内壁の内側の角部に反射板を設けた状態を示す実施形態１に係るスピーカーボックスの横断面図である。
【図９】反射板のみを内壁とした実施形態１に係るスピーカーボックスを示す横断面図である。
【図１０】奥行きの長さを順次変更した実施形態１に係るスピーカーボックスを示す斜視図である。
【図１１】（ａ）は実施形態２に係るスピーカーボックスの横断面図であり、（ｂ）は実施形態２に係るスピーカーボックスの内壁の基準となる正方形群を示す図である。
【図１２】（ａ）は本の大きさ形状としたスピーカー装置を本棚にセットした状態を示す斜視図であり、（ｂ１）、（ｂ２）は本の大きさ形状としたスピーカー装置を本棚にセットした状態を示す正面図である。
【図１３】（ａ）は映画館等の音響用スピーカー装置として応用した状態を示す正面図であり、（ｂ）は自動車用スピーカー装置として応用した状態を示す正面図であり、（ｃ）は小型機器の内蔵スピーカー装置として応用した状態を示す正面図である。
【図１４】スピーカーボックスをフロントホーンとして用いたスピーカー装置を示す斜視図である。
【図１５】従来のバックロードホーン型のスピーカー装置の内部構造を示す横断面図である。
【図１６】図１５に示すスピーカーボックスを模式的に直線的に展開した図である。
【符号の説明】
【００２６】
Ｘ、Ｙ、Ｚ、Ｗ、Ｕ    スピーカー装置
Ａ、Ａ２、Ａ３、Ｂ、Ｃ    スピーカーボックス
Ｓ、Ｓａ１  スピーカー
１１、３１  バッフル板
１２、３２  背面板
１３、１４、１５、１６、３３、３４、３５、３６  側板
１７、３７  仕切り板
１８、１９、１９Ｘ  反射板
【図１】
0003138044.tif 000003
【図２】
0003138044.tif 000004
【図３】
0003138044.tif 000005
【図４】
0003138044.tif 000006
【図５】
0003138044.tif 000007
【図６】
0003138044.tif 000008
【図７】
0003138044.tif 000009
【図８】
0003138044.tif 000010
【図９】
0003138044.tif 000011
【図１０】
0003138044.tif 000012
【図１１】
0003138044.tif 000013
【図１２】
0003138044.tif 000014
【図１３】
0003138044.tif 000015
【図１４】
0003138044.tif 000016
【図１５】
0003138044.tif 000017
【図１６】
0003138044.tif 000018
【手続補正書】
【提出日】平成19年10月19日(2007.10.19)
【手続補正１】
【補正対象書類名】実用新案登録請求の範囲
【補正対象項目名】請求項２
【補正方法】変更
【補正の内容】
【請求項２】
第１の正方形の辺の（√５＋１）／２倍の辺を持つ第２の正方形は、第１の正方形に辺が揃うように隣接し、Nを３からR（Rは３以上）の自然数としたときに、任意のNにおいて、第N−１の正方形の辺の（√５＋１）／２倍の辺を持つ第Nの正方形は、第Ｎ−１の正方形の第N−２の正方形に隣接している辺に対向する辺に揃い、かつ、第N−２の正方形に隣接しないように第Ｎ−１の正方形に接触することを満たす平面形状から、大きさが最も近い隣接する各正方形同士の間に形成される線分を削除した渦状の平面形状に沿って内壁が形成され、前記第１の正方形部分にスピーカー面がほぼ平行に取り付けられるようにスピーカー取付口が形成されるとともに、第Rの正方形の第R−１の正方形の一辺が揃う辺に前記平面形状に対してほぼ垂直に開口が形成されるスピーカーボックス。